(57)【要約】【課題】電装品箱内における水の発生及び電装品箱内への水の浸入を抑制可能な空気調和機の室内機を提供する。【解決手段】空気調和機の室内機１は、熱交換器１２と、熱交換器１２の下方に設けられたドレンパン１１ｃと、電装品を内部に収納して熱交換器１２よりも前方に配置された電装品箱４１と、ドレンパン１１ｃと別部材であって、電装品箱４１に取り付けられ、電装品箱４１における熱交換器１２と対向する面の少なくとも一部を覆うカバー４３、４４と、を備えている。【選択図】図３
2010065905.tif 000002
【特許請求の範囲】
【請求項１】
熱交換器（１２）と、
前記熱交換器の下方に設けられたドレンパン（１１ｃ）と、
電装品を内部に収納して前記熱交換器よりも前方に配置された電装品箱（４１）と、
前記電装品箱に取り付けられ、前記電装品箱における前記熱交換器と対向する面の少なくとも一部を覆うカバー（４３、４４）と、
を備える空気調和機の室内機（１）。
【請求項２】
前記カバーは、前記電装品箱の上面の少なくとも一部を覆う
請求項１に記載の空気調和機の室内機。
【請求項３】
前記カバーにおける前記熱交換器と対向する面は、少なくとも下端部近傍において、前記熱交換器に近づくように水平又は斜め下方に延びており、前記熱交換器側の端部の下方に前記ドレンパンが位置する
請求項１又は請求項２に記載の空気調和機の室内機。
【請求項４】
前記カバーにおける前記熱交換器と対向する面は、上端部から中間部まで前記電装品箱の外面に沿うように延び、当該中間部から、前記熱交換器に近づくように水平又は斜め下方に延びており、前記熱交換器側の端部の下方に前記ドレンパンが位置する
請求項３に記載の空気調和機の室内機。
【請求項５】
前記熱交換器側から前方に見たときに、前記カバーにより前記ドレンパンの上縁部の少なくとも一部が覆われている
請求項１〜４のいずれか一項に記載の空気調和機の室内機。
【発明の詳細な説明】
【技術分野】
【０００１】
本発明は、熱交換器の下方にドレンパンが設けられ、電装品を収納した電装品箱が熱交換器の前方に配置されている空気調和機の室内機に関する。
【背景技術】
【０００２】
従来、熱交換器の下方にドレンパンが設けられ、電装品を収納した電装品箱が熱交換器よりも前方に配置されている空気調和機の室内機として、特許文献１に記載のものが知られている。
この室内機は、ファンよりも上流であって熱交換器よりも上流側の空間に電気品収納箱が配置されている。具体的には、電気品収納箱は、熱交換器の前方におけるノーズとグリルとの間に装着されている。この構成によると、電気品収納箱を前方に配置することによる流路損失の増加を抑えることができる。
【０００３】
【特許文献１】特開２００２−１５６１３５号公報
【発明の開示】
【発明が解決しようとする課題】
【０００４】
しかしながら、他の構成部材の配置位置との関係から、電装品収納箱をドレンパンにおける前面側の縁部よりも高い位置に配置することも考えられる。例えば、電装品収納箱が、熱交換器に対向する位置に配置されることもありうる。
この場合、冷房運転時には、熱交換器により電装品収納箱が冷却されやすく、電装品収納箱の内部に結露が生じるおそれがある。また、電装品箱の外表面に付着した結露水が電装品箱内部に浸入するおそれもある。これにより、電装品のショート等の問題が生じるおそれがある。
【０００５】
そこで、この発明は、上記のような課題を解決するためになされたものであり、電装品箱内における水の発生及び電装品箱内への水の浸入を抑制可能な空気調和機の室内機を提供することを目的とする。
【課題を解決するための手段】
【０００６】
第１の発明の空気調和機の室内機は、熱交換器と、前記熱交換器の下方に設けられたドレンパンと、電装品を内部に収納して前記熱交換器よりも前方に配置された電装品箱と、前記電装品箱に取り付けられ、前記電装品箱における前記熱交換器と対向する面の少なくとも一部を覆うカバーと、を備えることを特徴とする。
【０００７】
この構成によると、カバーが熱交換器と電装品箱との間に介在しているので、電装品箱の熱が熱交換器に吸熱されにくくなる。したがって、電装品箱の外表面及び電装品箱の内部で結露することが抑制される。これにより、電装品のショート等の問題を防止できる。
【０００８】
第２の発明の空気調和機の室内機は、前記カバーは、前記電装品箱の上面の少なくとも一部を覆うことを特徴とする。
【０００９】
この構成によると、電装品箱の上面に水が滴下することを防ぐことができる。これにより、電装品箱の内部に水が浸入することを防ぐことができる。
【００１０】
第３の発明の空気調和機の室内機は、前記カバーにおける前記熱交換器と対向する面は、少なくとも下端部近傍において、前記熱交換器に近づくように水平又は斜め下方に延びており、前記熱交換器側の端部の下方に前記ドレンパンが位置することを特徴とする。
【００１１】
この構成によると、カバーにおける熱交換器と対向する面に沿って流れた水がカバーの端部から落下したときに、当該水を確実にドレンパンに導くことができる。
【００１２】
第４の発明の空気調和機の室内機は、前記カバーにおける前記熱交換器と対向する面は、上端部から中間部まで前記電装品箱の外面に沿うように延び、当該中間部から、前記熱交換器に近づくように水平又は斜め下方に延びており、前記熱交換器側の端部の下方に前記ドレンパンが位置することを特徴とする。
【００１３】
この構成によると、カバーにおける熱交換器と対向する面に沿って流れた水がカバーの端部から落下したときに、当該水を確実にドレンパンに導くことができる。
更に、カバーにおける熱交換器と対向する面は、上端部から中間部まで電装品箱の外面に沿うように延びるため、当該カバーと電装品箱とで占めるスペースが過度に大きくなることを抑制できる。
【００１４】
第５の発明の空気調和機の室内機は、前記熱交換器側から前方に見たときに、前記カバーにより前記ドレンパンの上縁部の少なくとも一部が覆われていることを特徴とする。
【００１５】
この構成によると、熱交換器と電装品箱との間にカバーとドレンパンとが重なる部分が配置されるので、熱交換器による電装品箱の冷却がより抑制されるとともに、カバーにおける熱交換器と対向する面に沿って流れた水を確実にドレンパンに導くことができる。
【発明の効果】
【００１６】
以上の説明に述べたように、本発明によれば、以下の効果が得られる。
【００１７】
第１の発明では、カバーが熱交換器と電装品箱との間に介在しているので、電装品箱の熱が熱交換器に吸熱されにくくなる。したがって、電装品箱の外表面及び電装品箱の内部で結露することが抑制される。これにより、電装品のショート等の問題を防止できる。
【００１８】
第２の発明では、電装品箱の上面に水が滴下することを防ぐことができる。これにより、電装品箱の内部に水が浸入することを防ぐことができる。
【００１９】
第３の発明では、カバーにおける熱交換器と対向する面に沿って流れた水がカバーの端部から落下したときに、当該水を確実にドレンパンに導くことができる。
【００２０】
第４の発明では、カバーにおける熱交換器と対向する面に沿って流れた水がカバーの端部から落下したときに、当該水を確実にドレンパンに導くことができる。
更に、カバーにおける熱交換器と対向する面は、上端部から中間部まで電装品箱の外面に沿うように延びるため、当該カバーと電装品箱とで占めるスペースが過度に大きくなることを抑制できる。
【００２１】
第５の発明では、熱交換器と電装品箱との間にカバーとドレンパンとが重なる部分が配置されるので、熱交換器による電装品箱の冷却がより抑制されるとともに、カバーにおける熱交換器と対向する面に沿って流れた水を確実にドレンパンに導くことができる。
【発明を実施するための最良の形態】
【００２２】
以下、図面を参照しつつ、本発明の実施形態にかかる空気調和機の室内機について説明する。尚、この室内機は壁掛け型のものであり、室外に設置される室外機に接続されて空気調和機を構成する。
【００２３】
〔基本構成〕
図１は、本発明の実施形態に係る室内機１を前方斜め上から見た模式的斜視図である。
図２は、図１に示す室内機１を前方から見た模式図である。
図３は、図２に示す室内機１のＡ−Ａ断面模式図である。
図４は、図２に示す室内機１の前面パネル２０を取り外した模式図である。
【００２４】
図１に示すように、本実施形態の室内機１は、全体として一方向に細長い形状を有しており、その長手方向が水平となるように室内の壁面に取り付けられるものである。尚、以下の説明において、室内機１の長手方向を単に「長手方向」と称する。また、室内機１が取り付けられる壁から突出する方向を「前方」と称し、その反対の方向を「後方」と称する。
【００２５】
この室内機１は、本体ユニット１０（本体）と、本体ユニット１０の前面に取り付けられる前面パネル２０と、を有して構成される。
【００２６】
〔本体ユニット〕
図３に示すように、本体ユニット１０は、本体ケーシング１１と、室内熱交換器１２と、クロスフローファン１３と、電装品ユニット１４と、フィルタユニット１５と、清掃ユニット１６と、前面グリル１７とを有して構成される。
【００２７】
室内熱交換器１２、クロスフローファン１３、電装品ユニット１４、及びフィルタユニット１５は、本体ケーシング１１に取り付けられている。
【００２８】
前面グリル１７は、室内熱交換器１２、クロスフローファン１３、電装品ユニット１４、及びフィルタユニット１５等の構成部材を覆うように本体ケーシング１１の前面に取り付けられている。
【００２９】
室内熱交換器１２は、本体ケーシング１１に対して、前側熱交換器１２ａと後側熱交換器１２ｂとを逆Ｖ字状に配置して構成されたプレートフィン形の熱交換器である。尚、本実施形態の室内機１においては、前側熱交換器１２ａの前面に補助熱交換器１２ｃが取り付けられている。また、後側熱交換器１２ｂの後面に補助熱交換器１２ｄが取り付けられている。補助熱交換器１２ｃ及び補助熱交換器１２ｄは、冷媒と空気との熱交換を助長するためのものである。
【００３０】
図１に示すように、前面グリル１７には、天井部分に天面吸込口１７ａが形成されている。当該天面吸込口１７ａは前面グリル１７の天井部分を格子状にして形成されている。
また、図４に示すように、前面グリル１７の前側上部には、前側開口１７ｂ、１７ｃが形成されている。前側開口１７ｂ、１７ｃは、それぞれ一の開口として形成されている。
また、前面グリル１７には、これらの前側開口１７ｂ、１７ｃの下方に室内機１の長手方向と平行に延びる開口部１７ｄが形成されている。この開口部１７ｄには、清掃ユニット１６が嵌め込まれている。
また、前面グリル１７には、長手方向中央部において、開口部１７ｄの下方に、発光表示部４２を前方に露出させるための開口部１７ｅが形成されている。当該開口部１７ｅは、発光表示部４２の前面形状と略対応する形状で形成され、当該発光表示部４２が、前面グリル１７の内側から外側に向かって挿入されている。
【００３１】
図１に示すように、前面パネル２０を閉じた状態で、前面グリル１７の天面吸込口１７ａ、及び、前面パネル２０の上部に位置する前側吸込口２０ａから、外部の空気が当該前面グリル１７の内部へ吸い込まれる。
【００３２】
図３に示すように、室内熱交換器１２の逆Ｖ字状の内側には、クロスフローファン１３が設けられている。このクロスフローファン１３は軸流ファンと呼ばれているもので、その軸方向が室内機１の長手方向に沿うように配置されている。本体ケーシング１１には、クロスフローファン１３の背後において、湾曲した壁面を有して構成されるスクロール部１１ａが形成されている。当該スクロール部１１ａにより、クロスフローファン１３から前面グリル１７の前面側下部に開口する吹出口１７ｆへ空気を滑らかに導くことができる。
【００３３】
本体ケーシング１１は、吹出口１７ｆの上側に位置するように上側壁面１１ｂを有する。当該上側壁面１１ｂは、前側熱交換器１２ａの下方に位置するドレンパン１１ｃと一体に成形されている。尚、本実施形態においては、前側熱交換器１２ａの下端がドレンパン１１ｃ内に位置するようにドレンパン１１ｃが配置されている。
【００３４】
ドレンパン１１ｃと前面パネル２０との間の位置には、電装品ユニット１４が配置されている。また、後側熱交換器１２ｂの下方には、後側ドレンパン１１ｄが配置されている。
【００３５】
本体ケーシング１１、前面グリル１７、及び前面パネル２０は、横長のものである。また、吹出口１７ｆは、前面グリル１７の長手方向に沿って延びるように形成されている。
【００３６】
室内機１においては、上面の天面吸込口１７ａ及び前側吸込口２０ａからクロスフローファン１３によって吸い込まれた室内空気を室内熱交換器１２に通過させ冷媒との間で熱交換させることにより、当該空気の冷却又は加熱が行われる。熱交換後の当該空気は、下面の吹出口１７ｆから室内へと吹出される。
【００３７】
フィルタユニット１５は長手方向に並んで設けられた一対のエアフィルタ５１（図３において２点鎖線で、図４において網掛けのハッチングで模式的に示す。図１においては省略する。）と、当該エアフィルタ５１を移動させるためのピニオン５２と、を備えている。当該一対のエアフィルタ５１は、天面吸込口１７ａ及び前側開口１７ｂ、１７ｃに対向する位置に配置されており、天面吸込口１７ａ又は前側開口１７ｂ、１７ｃを通過する空気に混在する埃等を取り除くことができる。
【００３８】
清掃ユニット１６は、室内機１の長手方向に延びるとともに、当該長手方向に延びる軸周りに回転するブラシ６１と、ブラシ６１についた埃を掻き出すための櫛６２と、当該櫛６２の前方に近接して設けられ室内機１の長手方向に延びて回転する圧縮ローラ６３と、圧縮ローラ６３と櫛６２との間で圧縮された埃が収納されるダストボックス６４と、を備えている。
尚、当該清掃ユニット１６は、ブラシ６１がフィルタユニット１５のエアフィルタ５１に当接した状態で保持されるように、前面グリル１７の外側から、当該前面グリル１７の前面に嵌め込まれている。
【００３９】
エアフィルタ５１には、ピニオン５２外周と噛み合う柔軟性のあるラック（図示せず）が設けられている。当該ピニオン５２の回転により、エアフィルタ５１は、ブラシ６１に表面を当接させながら裏面側に巻き込まれるように移動される。このときエアフィルタ５１に付着した埃等は、ブラシ６１により取り除かれるとともに、当該埃等は圧縮ローラ６３により圧縮されてダストボックス６４に収納される。
【００４０】
〔電装品ユニット〕
次に、電装品ユニット１４について具体的に説明する。
図５は、室内機１から、前面パネル２０、清掃ユニット１６、及び前面グリル１７を取り外した状態を説明するための斜視模式図である。
図６は、図５に示す電装品ユニットを示す斜視模式図であり、（ａ）は、前方斜め上から見た斜視模式図であり、（ｂ）は、後方斜め上からみた斜視模式図である。
図７は、図５に示す第１カバー部材４３及び第２カバー部材４４を示す斜視模式図である。
図８は、第１カバー部材４３及び第２カバー部材４４を電装品箱に取り付けた状態を示す斜視模式図であり、（ａ）は、前方斜め上から見た斜視模式図であり、（ｂ）は、後方斜め上からみた斜視模式図である。
図９は、図３に示す電装品ユニット１４近傍部を拡大して模式的に示す図である。
【００４１】
図５に示すように、電装品ユニット１４は、本体ユニット１０における前面グリル１７の内側の前面下部に位置するように配置されている。当該電装品ユニット１４は、商用電源（交流１００Ｖ又は交流２００Ｖ）に接続される電源入力部としての端子盤、交流回路部、直流高圧回路部、直流低圧回路部、ＣＰＵ制御部等の電装品と、当該電装品を内部に収容する電装品箱４１と、当該電装品箱４１の前面に取り付けられた発光表示部４２と、を有して構成される。
【００４２】
図６に示すように、電装品箱４１は、細長く延びる略直方体状の外形を有しており、背面側を覆う背面ケース４１ａと、背面ケース４１ａ内部に収容された電装品を前方から覆う蓋状ケース４１ｂと、を有して構成される。図９に示すように、当該電装品箱４１は、ドレンパン１１ｃの前方の位置において、ドレンパン１１ｃの長手方向と略平行に並んだ状態で、発光表示部４２（図４参照）を前方に向けて配置されている。このように、電装品を電装品箱４１に収納することで、単一の電装品ユニットとして取り扱うことができ、取り扱いが容易になる。
【００４３】
尚、電装品箱４１は、当該電装品箱４１の最も下方に位置する部分が、ドレンパン１１ｃの底部よりも低い位置となり、電装品箱４１の最も上方に位置する部分が、ドレンパン１１ｃの前側の上縁部よりも高い位置になるように配置されている。
【００４４】
発光表示部４２は、複数並べて設置されたＬＥＤを有し、これらのＬＥＤが発光して所定の文字等を表示することが可能な表示部である。当該発光表示部４２の前方は前面パネル２０により覆われることになるが、ＬＥＤから当該前面パネル２０を透過する光を発することで、外部から発光表示部４２の表示を視認することが可能である。
【００４５】
この発光表示部４２は、電装品箱４１の前面よりも前方に突出するように設けられている。即ち、発光表示部４２の表示面が電装品箱４１の前面よりも前方に配置される。これにより、前面パネル２０の裏面を当該発光表示部４２の表示面に確実に密着させることができる。結果として、発光表示部４２の表示を外部から容易に視認することができる。
【００４６】
また、発光表示部４２は、電装品箱４１に直接取り付けられているので、発光表示部４２と電装品箱４１内の電装品とを電気的に接続するためのリード線等の配線長を短くすることができる。
【００４７】
図５及び図８に示すように、電装品箱４１は、本体ケーシング１１に設置された状態において、第１カバー部材４３と第２カバー部材４４とで上方から覆われている。
第１カバー部材４３は、電装品箱４１の長手方向における発光表示部４２の側から見て右側を覆うように配置され、第２カバー部材４４は、左側を覆うように配置される。
【００４８】
図８に示すように、第１カバー部材４３は、電装品箱４１の発光表示部４２が設けられている面（以下、電装品箱４１の前面と記載する）とは逆側の面（以下、電装品箱４１の背面と記載する）を覆うように配置される背面カバー部４３ａと、当該背面カバー部４３ａに連続して電装品箱４１の上面を覆うように配置される上面カバー部４３ｂと、当該上面カバー部４３ｂに連続して電装品箱４１の前面に沿って下方に延設される前面カバー部４３ｃと、を有する。これら背面カバー部４３ａ、上面カバー部４３ｂ、及び前面カバー部４３ｃは、一体的に設けられている。
【００４９】
図９に示すように、背面カバー部４３ａは、上面カバー部４３ｂの後方縁部から、当該上面カバー部４３ｂに対して略垂直に延びている。そして、延出方向先端部近傍で前面カバー部４３ｃから離れる方向、即ち、室内熱交換器１２に近づく方向に屈曲して斜め下に延びる傾斜部４３ｄを有している。当該傾斜部４３ｄは、第１カバー部材４３の長手方向の全域に亘って設けられている。
【００５０】
前面カバー部４３ｃは、上面カバー部４３ｂの前方縁部から、当該上面カバー部４３ｂに対して略垂直に延びている。当該前面カバー部４３ｃは延出方向先端の一部が内側に屈曲しており、電装品箱４１の前面に形成された段状部分に引っ掛けて固定できるようになっている。
【００５１】
また、第２カバー部材４４についても、電装品箱４１の背面を覆うように配置される背面カバー部４４ａと、当該背面カバー部４４ａに連続して電装品箱４１の上面を覆うように配置される上面カバー部４４ｂと、当該上面カバー部４４ｂに連続して電装品箱４１の前面に沿って下方に延設される前面カバー部４４ｃと、を有する。これら背面カバー部４４ａ、上面カバー部４４ｂ、及び前面カバー部４４ｃは、一体的に設けられている。
【００５２】
背面カバー部４４ａは、上面カバー部４４ｂの後方縁部から、当該上面カバー部４４ｂに対して略垂直に延びている。そして、延出方向先端部近傍で前面カバー部４４ｃから離れる方向、即ち、室内熱交換器１２に近づく方向に屈曲して斜め下に延びる傾斜部４４ｄを有している。当該傾斜部４４ｄは、第２カバー部材４４の長手方向の全域に亘って設けられている。
前面カバー部４４ｃは、上面カバー部４４ｂの前方縁部から、当該上面カバー部４４ｂに対して略垂直に延びている。
【００５３】
図７に示すように、第１カバー部材４３及び第２カバー部材４４は、電装品箱４１の上方から、背面カバー４３ａ、４４ａと前面カバー４３ｃ、４４ｃとで電装品箱４１を挟み込むように嵌め込まれて当該電装品箱４１に固定される。
【００５４】
第１カバー部材４３は、電装品箱４１の発光表示部４２側からみて、当該発光表示部４２の右側に前面カバー部４３ｃが位置するように設置される。一方、第２カバー部材４４は、電装品箱４１の発光表示部４２側からみて、当該発光表示部４２の左側に前面カバー部４４ｃが位置するように設置される。
【００５５】
図７及び図８に示すように、第１カバー部材４３の上面カバー部４３ｂは、電装品箱４１の長手方向における発光表示部４２の位置に相当する上面を覆うように、背面カバー部４３ａよりも当該長手方向に延出している。そして、上面カバー部４３ｂにおける当該延出方向の端部は、第２カバー部材４４の上面カバー部４４ｂにほとんど隙間のない状態で接触している
【００５６】
また、第２カバー部材４４の背面カバー部４４ａは、上面カバー部４４ｂよりも、電装品箱４１の長手方向における第１カバー部材４３側に延出している。そして、電装品箱４１に取り付けた状態では、背面カバー部４４ａにおける当該延出方向の先端部は、当該長手方向における発光表示部４２の裏側に位置し、第１カバー部材４３の背面カバー部４３ａに覆われている（背面カバー部４３ａの端部と重なっている）。
【００５７】
尚、本実施形態においては、電装品箱４１の長手方向の略中央部において、背面カバー部４４ａの切り欠き形状（図７参照）により、当該背面カバー部４４ａと背面カバー部４３ａとの間に開口部４４ｅ（図８参照）が形成されている。この開口部４４ｅの位置は、室内機１の長手方向中央部に配置されたフィルタユニット１５及び清掃ユニット１６の駆動部品（電動機等）の位置に略対応している。即ち、室内機１の長手方向において一対のフィルタが配置される位置（図４においてＦ１、Ｆ２で示す範囲内の位置）とは異なる位置に開口部４４ｅが設けられている。
【００５８】
また、第１カバー部材４３の上面カバー部４３ｂ及び第２カバー部材４４の上面カバー部４４ｂにより電装品箱４１の上面が覆われる。
【００５９】
図９に示すように、電装品箱４１及びカバー部材４３・４４は、電装品箱４１の上面がやや前下がりになる姿勢で、ドレンパン１１ｃの前側、かつ、清掃ユニット１６の下側に設置される。このように設置された状態においては、電装品箱４１の上側はカバー部材４３・４４で覆われているとともに、カバー部材４３・４４の上側には、前面グリル１７が接触して配置されている。更に、その上には、前面グリル１７に接触するように、清掃ユニット１６におけるダストボックス６４の底面が配置されている。したがって、上面からの水滴が電装品箱４１にかかることは防止される。
【００６０】
また、電装品箱４１の背面には、背面カバー部４３ａ及び背面カバー部４４ａが設けられ、当該背面カバー部４３ａの下端は、ドレンパン１１ｃの内側に入っている。したがって、電装品箱４１の背面側に水滴が滴下された場合には、背面カバー部４３ａ（又は背面カバー部４４ａ）に沿ってドレンパン１１ｃに流れるため、電装品箱４１内に当該水が進入することはない。
【００６１】
〔配管固定部〕
図１０は、図１に示す室内機１の本体ケーシング１１を背面側から見た斜視図であり、（ａ）は、背面に向かってやや左側から見た図であり、（ｂ）は、背面に向かってやや右側から見た図である。尚、図１０においては、配管設置溝８０に配置される配管（図示せず）及び配管カバー７０を取り外した状態を示している。
図１１は、図１０に示す室内機１の配管カバー７０を取り付けた状態を示す図である。
【００６２】
図１０に示すように、本体ケーシング１１の背面には、長手方向の端部に、上下方向に延びる配管設置溝８０が形成されている。この配管設置溝８０に冷媒配管等が配置され、配管カバー７０を取り付けることで、冷媒配管が配管設置溝８０内に固定される。
【００６３】
配管カバー７０は、配管設置溝８０を覆う位置に配置され中央部に開口部７１ａが形成されたカバー面７１と、当該カバー面７１の両端の縁部から屈曲して当該カバー面７１と略垂直面を形成する一対の側面板７２と、を有している。カバー面７１の上端からは更に上方に向かって延びる延設板部が設けられている。また、一対の側面板７２の上部には、カバー面７１の上端よりも更に斜め上方に延びる上係合部７２ａが形成されている。また、側面板７２の下部には、カバー面７１から離れる方向に延出する下係合部７２ｂが形成されている。当該下係合部７２ｂは先端において内側（他方の下係合部に向かう方向）に突出する爪部を有する。また、下係合部７２ｂとカバー面７１との角部には開口が形成されている。
【００６４】
配管設置溝８０は、本体ケーシング１１の長手方向端部に位置する第１壁面部８１と、当該第１壁面部８１と略平行に所定の間隔を空けて配置される第２壁面部８２と、の間の空間として形成される。
【００６５】
第１壁面部８１は、配管設置溝８０の外側を向く面には、当該面から突出するとともに当該面上を屈曲して延びるガイドリブ８１ａが形成されている。ガイドリブ８１ａは、第１壁面部８１の上端部近傍において、側面視において、上係合部７２ａの上部輪郭形状に対応した形状を縁取った形状となるように第１壁面部８１の面上を延びている。
【００６６】
第２壁面部８２は、その上部及び下部において、配管設置溝８０の外側を向いて露出する上部露出面８２ａ及び下部露出面８２ｂを有している（図１０（ｂ）参照）。これらの上部露出面８２ａ及び下部露出面８２ｂは、第１壁面部８１の外側を向く面と平行な面である。
【００６７】
上部露出面８２ａの上側は、室内機１の長手方向に延びる上側部材８３により上方から覆われている。当該上側部材８３には、当該上部露出面８２ａに沿わせて上方に移動させた配管カバー７０の上係合部７２ａの先端を嵌め込むことができる溝８３ａが長手方向に延びるように形成されている。上部露出面８２ａの下側には、本体ケーシング１１の背面を構成する斜面８４が連続している。当該斜面８４は、後方に向かって斜め下に傾斜する面である。
【００６８】
第２壁面部８２の下部にて露出する下部露出面８２ｂには、配管カバー７０の一方の下係合部７２ｂの爪部を引っ掛けるための開口部８２ｃが設けられている。尚、第１壁面部８１における第２壁面部８２の開口部８２ｃと対応する位置にも、同形状の開口部８１ｂが設けられている。
【００６９】
配管カバー７０を本体ケーシング１１に取り付ける際は、まず、一対の上係合部７２ａで第１壁面部８１及び第２壁面部８２の上部を挟み込む。そして、そのまま壁面に沿って前方斜め上方に移動させ、ガイドリブ８１ａの上部における第１壁面部８１の上端から背面側の縁まで斜めに延びる部分に対し、一方の上係合部７２ａの上端において斜めに延びる縁部を当接させるとともに、溝８３ａに対し、他方の上係合部７２ａの先端を嵌め込む。その後、一対の下係合部７２ｂで第１壁面部８１及び下部露出面８２ｂとを挟み込むように配管カバー７０を移動させ、本体ケーシング１１側に向かって配管カバー７０の下部を押し込むことで一対の下係合部７２ｂの爪部が、開口部８２ｃ及び開口部８１ｂの縁にそれぞれ係合し、配管カバー７０の下部が本体ケーシング１１から離れることが防止される。これにより、図１１に示すように、配管カバー７０が室内機１の背面における配管設置溝８０を覆った状態で固定される。
【００７０】
以上、説明したように、本実施形態に係る室内機１は、室内熱交換器１２と、室内熱交換器１２の下方に設けられたドレンパン１１ｃと、電装品を内部に収納して室内熱交換器１２よりも前方に配置された電装品箱４１と、ドレンパン１１ｃと別部材であって、電装品箱４１に取り付けられ、電装品箱４１における室内熱交換器１２と対向する面の少なくとも一部を覆う第１カバー部材４３及び第２カバー部材４４と、を備えることを特徴とする。
【００７１】
この構成によると、第１カバー部材４３及び第２カバー部材４４が室内熱交換器１２と電装品箱４１との間に介在しているので、電装品箱４１の熱が室内熱交換器１２に吸熱されにくくなる。したがって、電装品箱４１の外表面及び電装品箱４１の内部で結露することが抑制される。これにより、電装品のショート等の問題を防止できる。
更に、第１カバー部材４３及び第２カバー部材４４は、ドレンパン１１ｃとは別部材である。したがって、室内熱交換器１２に対向するいずれの位置に電装品箱４１を配置する場合であっても、当該第１カバー部材４３及び第２カバー部材４４により確実に室内熱交換器１２と対向する面を覆うことができる。即ち、ドレンパン１１ｃの位置や形状などに過度に拘束されることなく、電装品箱４１の配置位置を決定することができる。
【００７２】
尚、本実施形態においては、電装品箱４１の長手方向の略中央部において、背面カバー部に開口部４４ｅが形成されているが、この開口部４４ｅの位置は、室内機１の長手方向において、略中央部に配置されたフィルタユニット１５及び清掃ユニット１６の駆動部品の位置に略対応している。即ち、当該開口部４４ｅは、室内機１の長手方向において一対のエアフィルタ５１が配置される位置（図４においてＦ１、Ｆ２で示す範囲内の位置）とは異なる位置に設けられたものである。そのため、当該開口部４４ｅの位置は、駆動部品等からの発熱により比較的温度が高く、また、エアフィルタ５１の配置位置から離れているため風の流れも少ない。したがって、当該開口部４４ｅを介して過度に電装品箱４１が冷却されて結露してしまうことはない。
【００７３】
また、本実施形態に係る室内機１において第１カバー部材４３及び第２カバー部材４４は、電装品箱４１の上面の少なくとも一部を覆っているので、電装品箱４１の上面に水が滴下することを防ぐことができる。これにより、電装品箱４１の内部に水が浸入することを防ぐことができる。
【００７４】
また、本実施形態に係る室内機１は、第１カバー部材４３及び第２カバー部材４４の背面カバー部４３ａ、４４ａは、少なくとも下端部近傍において、室内熱交換器１２に近づくように斜め下方に延びており、室内熱交換器１２側の端部の下方にドレンパン１１ｃが位置する。
【００７５】
この構成によると、背面カバー部４３ａ、４４ａに沿って流れた水が端部から落下したときに、当該水を確実にドレンパン１１ｃに導くことができる。
尚、本実施形態のように、背面カバー部４３ａ、４４ａの下端部近傍が斜め下方に延びる構成に限らず、水平に延びる構成であってもよい。
【００７６】
また、本実施形態に係る室内機１は、背面カバー部４３ａ、４４ａは、上端部から中間部まで電装品箱４１の外面に沿うように延び、当該中間部から、室内熱交換器１２に近づくように斜め下方に延びており、室内熱交換器１２側の端部の下方にドレンパン１１ｃが位置する。
【００７７】
この構成によると、背面カバー部４３ａ、４４ａは、上端部から中間部まで電装品箱４１の外面に沿うように延びるため、当該背面カバー部４３ａ、４４ａと電装品箱４１とで占めるスペースが過度に大きくなることを抑制できる。
【００７８】
また、本実施形態に係る室内機１は、室内熱交換器１２側から前方に見たときに、第１カバー部材４３及び第２カバー部材４４によりドレンパン１１ｃの上縁部の少なくとも一部が覆われている。
【００７９】
この構成によると、室内熱交換器１２と電装品箱４１との間に第１カバー部材４３及び第２カバー部材４４とドレンパン１１ｃとが重なる部分が配置されるので、室内熱交換器１２による電装品箱４１の冷却がより抑制されるとともに、第１カバー部材４３及び第２カバー部材４４における室内熱交換器１２と対向する面に沿って流れた水を確実にドレンパン１１ｃに導くことができる。
【００８０】
以上、本発明の実施形態について図面に基づいて説明したが、具体的な構成は、これらの実施形態に限定されるものではない。本発明の範囲は、上記した実施形態の説明ではなく特許請求の範囲によって示され、さらに特許請求の範囲と均等の意味および範囲内でのすべての変更が含まれる。
【００８１】
（１）本実施形態のように背面カバー部４３ａ、４４ａに開口部４４ｅ等の開口部や切り欠き部を形成せず構成してもよい。例えば、室内機１の長手方向においてエアフィルタ５１が配置される範囲内（図４においてＦ１、Ｆ２で示す範囲内）に位置する電装品箱４１の背面における、室内熱交換器１２から前方にみてドレンパン１１ｃの上縁部から背面上端までの範囲を全て、背面カバー部４３ａ、４４ａにより覆う構成としてもよい。この場合、電装品箱４１の冷却をより確実に防ぐことができる。
【００８２】
（２）本実施形態においては、第１カバー部材４３の上面カバー部４３ｂ及び第２カバー部材４４の上面カバー部４４ｂには、適宜、配線等を通すための貫通穴が形成されているが、防水性を高めるため当該貫通穴を形成しない構成としてもよい。
【産業上の利用可能性】
【００８３】
本発明を利用すれば、空気調和機の室内機において、電装品箱内における水の発生及び電装品箱内への水の浸入を抑制できる。
【図面の簡単な説明】
【００８４】
【図１】本発明の実施形態に係る室内機を示す模式的斜視図。
【図２】図１に示す室内機の正面図。
【図３】図２に示す室内機のＡ−Ａ断面図。
【図４】図２に示す室内機の前面パネルを取り外した図。
【図５】室内機を分解した斜視模式図。
【図６】電装品ユニットを示す斜視模式図。
【図７】カバー部材を示す斜視模式図。
【図８】カバー部材を電装品箱に取り付けた状態を示す斜視模式図。
【図９】図３に示す電装品ユニット近傍部を拡大して模式的に示す図。
【図１０】図１に示す室内機の本体ケーシングを背面側から見た斜視模式図。
【図１１】図１０に示す本体ケーシングに配管カバーを取付けた状態を示す斜視模式図。
【符号の説明】
【００８５】
１  室内機
１１ｃ  ドレンパン
１２  室内熱交換器
４１  電装品箱
４３  第１カバー部材（カバー）
４４  第２カバー部材（カバー）
【図１】
2010065905.tif 000003
【図２】
2010065905.tif 000004
【図３】
2010065905.tif 000005
【図４】
2010065905.tif 000006
【図５】
2010065905.tif 000007
【図６】
2010065905.tif 000008
【図７】
2010065905.tif 000009
【図８】
2010065905.tif 000010
【図９】
2010065905.tif 000011
【図１０】
2010065905.tif 000012
【図１１】
2010065905.tif 000013